(57)【要約】  商品提供サーバにおいて商品提供サービスを行う方法は、ユーザ端末からランダム商品の購入要請を受けるステップと、前記ランダム商品の決済を進行するステップと、前記ランダム商品の決済が完了すれば、前記ユーザ端末に提供される少なくとも１つの商品を決定するステップと、前記決定した少なくとも１つの商品を前記ユーザ端末に対応するインベントリに保存するステップと、前記ユーザ端末から前記インベントリに保存されている各商品に対して選択可能な複数の利用方法を選択してもらうステップと、前記ユーザ端末により選択された利用方法に基づいて前記各商品を提供するステップとを含み、前記利用方法は、少なくとも１つの前記商品に対する商品配送、他のユーザ端末が保有している商品との交換、及びポイント還付を含む。
2021532522.tif 000002
【特許請求の範囲】
【請求項１】
商品提供サーバにおいて商品提供サービスを行う方法において、
ユーザ端末から商品の購入要請を受けるステップと、
前記商品の決済を進行するステップと、
前記商品を前記ユーザ端末に対応するインベントリに保存するステップと、
前記ユーザ端末から前記インベントリに保存されている各商品に対して選択可能な複数の利用方法を選択してもらうステップと、
前記ユーザ端末により選択された利用方法に基づいて前記各商品を提供するステップと、を含み、
前記利用方法は、少なくとも１つの前記商品に対する商品配送、他のユーザ端末が保有している商品との交換、及びポイント還付を含む、商品提供方法。
【請求項２】
前記利用方法のうち前記商品配送が選択された場合、
前記ユーザ端末から前記ユーザ端末に対応するインベントリに保存されている複数の商品のうちの少なくとも１つの商品を選択してもらうステップと、
選択された前記各商品の数量を選択してもらうステップと、をさらに含む、請求項１に記載の商品提供方法。
【請求項３】
選択された少なくとも１つの前記商品及び前記各商品の数量の組み合わせに対して体積、重さ、硬度、価格のうち少なくとも１つに基づいて、おまとめ配送ゲージを測定するステップと、
前記おまとめ配送ゲージに基づいて、選択された少なくとも１つの前記商品をおまとめ配送にて提供するステップと、をさらに含む、請求項２に記載の商品提供方法。
【請求項４】
前記おまとめ配送ゲージは、バー（Ｂａｒ）形態のゲージで表示され、
前記ゲージは、前記ユーザ端末により選択された少なくとも１つの前記商品及び前記各商品の数量の組み合わせに基づいてリアルタイムで変動される、請求項３に記載の商品提供方法。
【請求項５】
前記商品はランダム商品であり、
前記商品の決済を進行するステップの後に、
前記商品の決済が完了すれば、前記ユーザ端末に提供される少なくとも１つの商品を決定するステップをさらに含む、請求項１に記載の商品提供方法。
【請求項６】
前記商品の決済が完了すれば、前記ユーザ端末に提供される少なくとも１つの商品を決定するステップの後に、
前記ユーザ端末に、前記決定した少なくとも１つの商品に対するポイント還付情報を提供するステップをさらに含み、
前記ポイント還付情報は、少なくとも１つの前記商品に対応して還付されるポイントを含む、請求項５に記載の商品提供方法。
【請求項７】
前記決定した少なくとも１つの商品には利用可能期限が設定され、
前記ポイントは、前記利用可能期限の満了時点に近づくほど増加する、請求項６に記載の商品提供方法。
【請求項８】
前記インベントリには、前記決定した少なくとも１つの商品に対する前記商品配送のためのインターフェースと、前記交換のためのインターフェースと、前記ポイント還付のためのインターフェースとを含み、
前記ポイント還付のためのインターフェースは、前記ポイントに関する情報を含み、前記ポイントは、時間の経過により変動して表示される、請求項７に記載の商品提供方法。
【請求項９】
前記決定した少なくとも１つの商品の価格が予め設定された価格以上である場合、前記決定した少なくとも１つの商品の当選についての通知を含む第１のコミュニティを複数の他のユーザ端末に提供するステップをさらに含む、請求項６に記載の商品提供方法。
【請求項１０】
前記通知に対して前記複数の他のユーザ端末からコメントの入力が可能である、請求項９に記載の商品提供方法。
【請求項１１】
前記ユーザ端末及び複数の他のユーザ端末が購入した前記ランダム商品の購入金額に基づくランキングを含む第２のコミュニティを前記複数の他のユーザ端末に提供するステップをさらに含む、請求項６に記載の商品提供方法。
【請求項１２】
前記ユーザ端末及び前記複数の他のユーザ端末のランキングに基づき、前記ユーザ端末及び前記複数の他のユーザ端末に追加ポイントを支給するステップをさらに含む、請求項１１に記載の商品提供方法。
【請求項１３】
複数のユーザ端末から前記ランダム商品として提供される商品の推薦を受けるための第３のコミュニティを前記複数の他のユーザ端末に提供するステップをさらに含む、請求項６に記載の商品提供方法。
【請求項１４】
前記利用方法のうち前記他のユーザ端末が保有している商品との交換が選択された場合、
前記ユーザ端末から前記インベントリに保存されている商品のマーケットプラットフォームへの登録要請を受信するステップと、
前記商品を前記マーケットプラットフォームに交換対象商品として登録するステップと、
前記他のユーザ端末から、前記他のユーザ端末が保有している交換要請商品に関する情報、及び、前記交換対象商品と前記交換要請商品との交換申請を受信するステップと、
前記交換要請商品に関する情報及び前記交換申請に関する情報を前記ユーザ端末へ送信するステップと、
前記交換申請が受諾された場合、前記交換要請商品を前記ユーザ端末に対応するインベントリに移動させ、前記交換対象商品を前記他のユーザ端末に対応するインベントリに移動させるステップと、をさらに含む、請求項１に記載の商品提供方法。
【請求項１５】
商品提供サービスを行う商品提供サーバにおいて、
ユーザ端末から商品の購入要請を受け、前記商品の決済を進行する決済部と、
前記商品を前記ユーザ端末に対応するインベントリに保存し、前記ユーザ端末から前記インベントリに保存されている各商品に対して選択可能な複数の利用方法を選択してもらう商品管理部と、
前記ユーザ端末により選択された利用方法に基づいて前記各商品を提供する商品提供部と、を含み、
前記利用方法は、少なくとも１つの前記商品に対する商品配送、他のユーザ端末が保有している商品との交換、及びポイント還付を含む、商品提供サーバ。
【請求項１６】
前記商品はランダム商品であり、
前記ランダム商品の決済が完了すれば、前記ユーザ端末に提供される少なくとも１つの商品を決定する商品決定部をさらに含む、請求項１５に記載の商品提供サーバ。
【請求項１７】
ユーザ端末により商品提供サービスを受けるための方法において、
商品の購入を商品提供サーバに要請するステップと、
前記商品の決済が進行されるステップと、
前記商品の決済が完了すれば、前記ユーザ端末に対応するインベントリに保存されている各商品に対して選択可能な複数の利用方法を選択するステップと、
前記選択された利用方法を前記商品提供サーバへ送信するステップと、を含み、
前記利用方法は、前記各商品に対する商品配送、他のユーザ端末が保有している商品との交換、及びポイント還付を含む、方法。
【発明の詳細な説明】
【技術分野】
【０００１】
本発明は、商品提供方法、商品提供サーバ及びユーザ端末に関する。
【背景技術】
【０００２】
ソーシャルコマース（Ｓｏｃｉａｌ  Ｃｏｍｍｅｒｃｅ）とは、ソーシャルメディアとオン／オフラインメディアを含むソーシャルネットワークを活用した電子商取引のことを言う。ソーシャルコマースは、所定人数以上が商品を購入する共同購入型、ソーシャルネットワークへ移動できるリンクを掲載するソーシャルリンク型、消費者の購入／評価／レビューなどの消費者のソーシャルネットワーク活動を結合したソーシャルウェブ型、オフライン空間まで拡大連結させたオフライン連携型などがある。
【０００３】
最近は、ソーシャルコマースを通じてユーザが購入した商品を他のユーザが購入した商品と交換できるようにしたプラットフォームが提供されている。それに関し、先行技術である韓国公開特許第２０１５−００１３３７４号公報には、ソーシャル共有プラットフォームシステム、ソーシャル共有プラットフォーム提供装置及びその提供方法、移動通信端末及びそのソーシャル共有プラットフォームサービス方法が開示されている。
【先行技術文献】
【特許文献】
【０００４】
【特許文献１】韓国公開特許第２０１５−００１３３７４号公報
【発明の概要】
【発明が解決しようとする課題】
【０００５】
本開示は、ユーザがランダム商品を購入し、ランダム商品を通じて獲得した商品をユーザのアカウントに対応するインベントリ（Ｉｎｖｅｎｔｏｒｙ）に提供する商品提供方法、商品提供サーバ及びユーザ端末を提供することを目的としている。
【０００６】
また、本開示は、ユーザがランダム商品を通じて獲得した商品に対し、商品配送、他のユーザが保有している商品との交換、ポイントへの還付のうち何れか１つを選択することで当該商品を利用できるようにする商品提供方法、商品提供サーバ及びユーザ端末を提供することを目的としている。
【０００７】
また、本開示は、ユーザが商品に対する配送を提供してもらいたい場合、インベントリに保存されている他の商品とのおまとめ配送を可能にする商品提供方法、商品提供サーバ及びユーザ端末を提供することを目的としている。
【０００８】
また、本開示は、おまとめ配送の際、おまとめ配送ゲージを通じておまとめ配送が可能な程度をユーザに知らせ、ユーザがおまとめ配送ゲージを確認することでおまとめ配送の組み合わせを変更できるようにする商品提供方法、商品提供サーバ及びユーザ端末を提供することを目的としている。
【０００９】
但し、本実施例が解決しようとする技術的課題は、上記したような技術的課題に限定されるものではなく、また他の技術的課題が存在してもよい。
【課題を解決するための手段】
【００１０】
上述した技術的課題を達成するための手段として、本発明の一実施例は、ユーザ端末から商品の購入要請を受けるステップと、当該商品の決済を進行するステップと、当該商品を当該ユーザ端末に対応するインベントリに保存するステップと、当該ユーザ端末から当該インベントリに保存されている各商品に対して選択可能な複数の利用方法を選択してもらうステップと、当該ユーザ端末により選択された利用方法に基づいて当該各商品を提供するステップとを含み、当該利用方法は、当該少なくとも１つの商品に対する商品配送、他のユーザ端末が保有している商品との交換、及びポイント還付を含む商品提供方法を提供してもよい。
【００１１】
また、本発明の他の実施例は、ユーザ端末から商品の購入要請を受け、当該商品の決済を進行する決済部と、当該商品を当該ユーザ端末に対応するインベントリに保存し、当該ユーザ端末から当該インベントリに保存されている各商品に対して選択可能な複数の利用方法を選択してもらう商品管理部と、当該ユーザ端末により選択された利用方法に基づいて当該各商品を提供する商品提供部とを含み、当該利用方法は、当該少なくとも１つの商品に対する商品配送、他のユーザ端末が保有している商品との交換、及びポイント還付を含む商品提供サーバを提供してもよい。
【００１２】
また、本発明のさらに他の実施例は、ユーザ端末により商品提供サービスを受けるための方法において、商品の購入を商品提供サーバに要請するステップと、当該商品の決済が進行されるステップと、当該商品の決済が完了すれば、当該ユーザ端末に対応するインベントリに保存されている各商品に対して選択可能な複数の利用方法を選択するステップと、当該選択された利用方法を当該商品提供サーバへ送信するステップとを含み、当該利用方法は、当該各商品に対する商品配送、他のユーザ端末が保有している商品との交換、及びポイント還付を含む、方法を提供してもよい。
【００１３】
上述した課題を解決するための手段は単なる例示であり、本発明を制限する意図で解釈されてはならない。上述した例示的な実施例の他にも、図面及び発明の詳細な説明に記載された追加の実施例が存在していてもよい。
【発明の効果】
【００１４】
上述した本発明の課題を解決するための手段のうち何れか１つによれば、ユーザがランダム商品を購入し、ランダム商品を通じて獲得した商品をユーザのアカウントに対応するインベントリ（Ｉｎｖｅｎｔｏｒｙ）に提供する商品提供方法、商品提供サーバ及びユーザ端末を提供することができる。
【００１５】
ユーザがランダム商品を通じて獲得した商品に対し、商品配送、他のユーザが保有している商品との交換、ポイントへの還付のうち何れか１つを選択することで当該商品を利用できるようにする商品提供方法、商品提供サーバ及びユーザ端末を提供することができる。
【００１６】
ユーザが商品に対する配送を提供してもらいたい場合、インベントリに保存されている他の商品とのおまとめ配送を可能にする商品提供方法、商品提供サーバ及びユーザ端末を提供することができる。
【００１７】
おまとめ配送の際、おまとめ配送ゲージを通じておまとめ配送が可能な程度をユーザに知らせ、ユーザがおまとめ配送ゲージを確認することでおまとめ配送の組み合わせを変更できるようにする商品提供方法、商品提供サーバ及びユーザ端末を提供することができる。
【図面の簡単な説明】
【００１８】
【図１】本発明の一実施例に係る商品提供システムの構成図である。
【図２】本発明の一実施例に係る商品提供サーバの構成図である。
【図３】本発明の一実施例に係る商品提供サーバにおいてユーザ端末からランダム商品の購入要請を受ける過程を説明するための例示的な図である。
【図４】本発明の一実施例に係る商品提供サーバにおいてユーザ端末に対応するインベントリにランダム商品を保存する過程を説明するための例示的な図である。
【図５】本発明の一実施例に係る商品提供サーバにおいてユーザ端末のインベントリに保存されている商品を他のユーザ端末が保有している商品と交換する過程を説明するための例示的な図である。
【図６ａ】本発明の一実施例に係る商品提供サーバにおいてユーザ端末のインベントリに保存されている商品をおまとめ配送する過程を説明するための例示的な図である。
【図６ｂ】本発明の一実施例に係る商品提供サーバにおいてユーザ端末のインベントリに保存されている商品をおまとめ配送する過程を説明するための例示的な図である。
【図６ｃ】本発明の一実施例に係る商品提供サーバにおいてユーザ端末のインベントリに保存されている商品をおまとめ配送する過程を説明するための例示的な図である。
【図７ａ】本発明の一実施例に係る商品提供サーバにおいて第１のコミュニティを通じて予め設定された価格以上の商品の当選についての通知を提供する過程を説明するための例示的な図である。
【図７ｂ】本発明の一実施例に係る商品提供サーバにおいて第１のコミュニティを通じて予め設定された価格以上の商品の当選についての通知を提供する過程を説明するための例示的な図である。
【図８ａ】本発明の一実施例に係る商品提供サーバにおいて第２のコミュニティを通じてランダム商品の購入金額に基づくランキングを提供する過程を説明するための例示的な図である。
【図８ｂ】本発明の一実施例に係る商品提供サーバにおいて第２のコミュニティを通じてランダム商品の購入金額に基づくランキングを提供する過程を説明するための例示的な図である。
【図８ｃ】本発明の一実施例に係る商品提供サーバにおいて第２のコミュニティを通じてランダム商品の購入金額に基づくランキングを提供する過程を説明するための例示的な図である。
【図８ｄ】本発明の一実施例に係る商品提供サーバにおいて第２のコミュニティを通じてランダム商品の購入金額に基づくランキングを提供する過程を説明するための例示的な図である。
【図９ａ】本発明の一実施例に係る商品提供サーバにおいて第３のコミュニティを通じてランダム商品として提供される商品を推薦してもらう過程を説明するための例示的な図である。
【図９ｂ】本発明の一実施例に係る商品提供サーバにおいて第３のコミュニティを通じてランダム商品として提供される商品を推薦してもらう過程を説明するための例示的な図である。
【図１０】本発明の一実施例に係る商品提供サーバにおいて商品提供サービスを行う方法のフローチャートである。
【図１１】本発明の一実施例に係るユーザ端末において商品提供サービスを提供してもらう方法のフローチャートである。
【発明を実施するための形態】
【００１９】
以下では、添付した図面を参照しながら、本発明の属する技術分野において通常の知識を有する者が容易に実施できるように本発明の実施例を詳しく説明する。ところが、本発明は様々な異なる形態に具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００２０】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味し、１つ或いはそれ以上の他の特徴や数字、ステップ、動作、構成要素、部分品、又はこれらを組み合わせたものの存在又は付加可能性を予め排除するものではないと理解されなければならない。
【００２１】
本明細書において「部」とは、ハードウェアによって実現されるユニット（ｕｎｉｔ）、ソフトウェアによって実現されるユニット、両方を利用して実現されるユニットを含む。また、１つのユニットが２つ以上のハードウェアを利用して実現されてもよく、２つ以上のユニットが１つのハードウェアによって実現されてもよい。
【００２２】
本明細書において、端末又はデバイスが行うと記述された動作や機能のうち一部は、当該端末又はデバイスと連結されたサーバにおいて代わりに行われてもよい。それと同様に、サーバが行うと記述された動作や機能のうち一部も、当該サーバと連結された端末又はデバイスにおいて行われてもよい。
【００２３】
以下、添付された図面を参照しながら、本発明の一実施例を詳しく説明することとする。
【００２４】
図１は、本発明の一実施例に係る商品提供システムの構成図である。図１を参照すると、商品提供システム１は、商品提供サーバ１１０と、ユーザ端末１２０とを含んでいてもよい。図１に示された商品提供サーバ１１０及びユーザ端末１２０は、商品提供システム１によって制御できる構成要素を例示的に示すものである。
【００２５】
図１における商品提供システム１の各構成要素は、一般にネットワーク（ｎｅｔｗｏｒｋ）を介して連結される。例えば、図１に示すように、複数のユーザ端末１２０は、ネットワークを介して商品提供サーバ１１０と同時にあるいは時間間隔をあけて連結されてもよい。
【００２６】
ネットワークは、端末及びサーバのようなそれぞれのノードの相互間に情報交換が可能な連結構造を意味するものであり、かかるネットワークの一例には、Ｗｉ−Ｆｉ、ブルートゥース（Ｂｌｕｅｔｏｏｔｈ、登録商標）、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、３Ｇ、４Ｇ、５Ｇ、ＬＴＥなどが含まれるが、これに限定されるものではない。
【００２７】
商品提供サーバ１１０は、ユーザ端末１２０から商品の購入要請を受け、商品の決済を進行してもよい。ここで、商品は、ランダム商品であってもよく、ランダム商品は、一種のランダムボックス型商品であり、ユーザがどのような商品を獲得できるか明確ではない商品のことを言う。ユーザは、ランダム商品を購入することにより、様々な商品のうち任意の商品を獲得することができる。このとき、ユーザが獲得する任意の商品はランダムに決定されてもよい。以下では、ユーザ端末１２０がランダム商品を購入する場合を想定して説明しているが、ユーザ端末１２０が一般の商品を購入する場合にも適用可能である。
【００２８】
商品提供サーバ１１０は、ランダム商品の決済が完了すれば、ユーザ端末１２０に提供される少なくとも１つの商品を決定してもよい。ここで、商品は、広告主から提供された商品であり、例えば、品物、サービス利用券、クーポン及び交換券などを含み、一部の商品は、使用期間が設定されているものであってもよい。例えば、商品提供サーバ１１０は、広告主から所定数量の商品を提供してもらうか、直接購入して、各商品がなくなる時まで第１のユーザ端末１２１に商品を提供してもよい。
【００２９】
ここで、広告主が商品提供サービスに商品を登録する方法を説明することとする。広告主は、商品提供サービスに商品を供給することで広告の効果を所望する供給者であり、商品提供サービスに企業及び団体会員として加入された商品供給会員であってもよい。
【００３０】
広告主が運営する広告サーバは、商品提供サーバ１１０と連動していてもよい。
【００３１】
広告サーバは、広告を所望する商品を所定数量だけ商品提供サーバ１１０に登録してもよい。商品提供サーバ１１０は、広告サーバが登録した商品を、商品提供サービスを提供するアプリ及びサイトに露出（公開）させることによって当該商品を広告してもよい。つまり、広告主は、商品を無償で提供する代わりに、当該商品を商品提供サービスの利用顧客に露出させることができるという効果がある。
【００３２】
このとき、商品情報と共に広告主の情報（例えば、販売先、電話番号、ウェブサイトなど）が共に露出されてもよい。
【００３３】
商品提供サーバ１１０は、当該商品がランダム商品に当たることで、なくなるまで当該商品を露出させてもよい。このように、商品がなくなる時まで商品を露出させることにより、広告主が多くの商品を登録するように誘導することができる（数量が多いほど、なくなるのに時間がかかるため）。また、広告主が高価の商品を登録するように誘導することができる（高価の商品は当選確率が低く、なくなるのに時間がかかるため）。
【００３４】
広告主が供給した商品の在庫が全てなくなる場合、商品提供サーバ１１０は、商品の説明及び販売先に関する内容などを含む各種の情報を露出させなくてもよく、商品の在庫が全てなくなり、商品が露出されていないことを知らせるメッセージを広告サーバへ送信してもよい。
【００３５】
商品提供サーバ１１０は、ユーザ端末１２０が購入した商品又はランダム商品として決定した少なくとも１つの商品を、ユーザ端末１２０に対応するインベントリに保存してもよい。インベントリは、少なくとも１つの商品に対する商品配送のためのインターフェースと、交換のためのインターフェースと、ポイント還付のためのインターフェースとを含み、ポイント還付のためのインターフェースは、ポイントに関する情報を含み、ポイントは、時間の経過により変動して表示されてもよい。
【００３６】
商品提供サーバ１１０は、ユーザ端末１２０からインベントリに保存されている各商品に対して選択可能な複数の利用方法を選択してもらってもよい。ここで、利用方法は、少なくとも１つの商品に対する商品配送、他のユーザ端末が保有している商品との交換及びポイント還付を含んでいてもよい。
【００３７】
ここで、インベントリについて説明することとする。商品提供サーバ１１０は、各ユーザ端末１２０毎にインベントリを割り当ててもよい。例えば、商品提供サーバ１１０は、第１のユーザ端末１２１に対応する第１のインベントリと、第２のユーザ端末１２２に対応する第２のインベントリと、第３のユーザ端末１２３に対応する第３のインベントリとを生成して割り当ててもよい。
【００３８】
商品提供サーバ１１０は、ユーザ端末１２０から各利用方法を提供してもらうための詳細項目を選択してもらってもよい。例えば、ユーザ端末１２０が複数の利用方法のうち商品配送を選択した場合、ユーザ端末１２０から、ユーザ端末１２０に対応するインベントリに保存されている複数の商品のうち少なくとも１つの商品を選択してもらい、選択された各商品の数量を選択してもらってもよい。
【００３９】
商品提供サーバ１１０は、ユーザ端末１２０において商品又はランダム商品の決済が完了すれば、ユーザ端末１２０に提供される少なくとも１つの商品を決定した後、ユーザ端末１２０に、決定した少なくとも１つの商品に対するポイント還付情報を提供してもよい。ポイント還付情報は、例えば、少なくとも１つの商品に対応して還付されるポイントに関する情報を含んでいてもよい。ここで、還付されるポイントは、決定した少なくとも１つの商品の価値よりも低い価値を有していてもよい。
【００４０】
ここで、商品提供サーバ１１０が当選商品に対するポイント還付情報を提供する理由は、ユーザが商品を配送又は交換などによって品物の形態で提供してもらうよりはポイントで提供してもらうように誘導するためである。
【００４１】
それは、ユーザに当選商品を品物の形態で提供するためには、多くの商品を予め購入し保管しておく必要があるが、これにより多くの費用が発生するためである。
【００４２】
また、還付されるポイントの価値が当選商品の価値よりも低いため、その差額の分、収益が発生することができる。
【００４３】
また、ユーザに当該商品に対するポイント還付を誘導することにより、ユーザがポイントを利用してランダム商品を購入するようにして、商品提供サービスの利用を持続的に誘導することができる。
【００４４】
商品提供サーバ１１０は、ユーザ端末１２０により選択された利用方法に基づいて各商品を提供してもよい。
【００４５】
例えば、ユーザ端末１２０が複数の利用方法のうち商品配送を選択した場合、選択された商品の配送が要請されてもよい。
【００４６】
ここで、商品提供サーバ１１０は、複数の商品に対しておまとめ配送機能を提供してもよい。例えば、インベントリに保存されている複数の商品の中から選択された少なくとも１つの商品及び各商品の数量に対して体積、重さ、硬度、価格のうち少なくとも１つに基づいておまとめ配送ゲージを測定し、おまとめ配送ゲージに基づいて選択された少なくとも１つの商品に対しておまとめ配送を要請してもよい。
【００４７】
ここで、おまとめ配送ゲージは、バー（Ｂａｒ）形態のゲージで表示され、ゲージは、ユーザ端末１２０により選択された少なくとも１つの商品及び各商品の数量の組み合わせに基づいてリアルタイムで変動してもよい。
【００４８】
おまとめ配送機能を提供する理由は、商品提供サービスを利用するユーザが商品又はランダム商品の購入を繰り返すことにより様々な商品を多量に提供してもらうことになった場合、ユーザはそれぞれの商品に対する配送料を支払わなければならないが、これをおまとめ配送機能により一度の配送料支払いのみでユーザに商品を配送するためである。
【００４９】
特に、本発明の商品提供サービスによると、１）商品又はランダム商品に当たった商品がユーザアカウントに対応するインベントリに保管され、２）また、ユーザがマーケットプラットフォームを通じて交換対象商品として登録したものの長期間交換されていない場合、インベントリに多量の商品が保存されることになる。このとき、ユーザはおまとめ配送機能を希望するようになる。よって、本発明においては、ユーザが多量の商品をおまとめ配送機能を通じて配送してもらうことができる。
【００５０】
一般に、宅配業者は、特定の重さまでを基本料金に決定し、当該重さを超えれば超過料金を課金する。このとき、おまとめ配送に制限を設けない場合、商品提供サーバ１１０で高い配送料を負担する恐れがあるため、本発明においては、おまとめ配送ゲージを通じておまとめ配送機能に制限を設けている。
【００５１】
他の例において、ユーザ端末１２０が複数の利用方法のうち他のユーザ端末が保有している商品との交換を選択する場合、商品提供サーバ１１０は、ユーザ端末１２０からインベントリに保存されている商品のマーケットプラットフォームへの登録要請を受信し、商品をマーケットプラットフォームに交換対象商品として登録してもよい。
【００５２】
その後、商品提供サーバ１１０は、他のユーザ端末から他のユーザ端末が保有している交換要請商品に関する情報を含む交換申請を受信すると、交換申請に関する情報をユーザ端末１２０へ送信してもよい。
【００５３】
また、商品提供サーバ１１０は、ユーザ端末１２０により交換申請が受諾された場合、交換要請商品をユーザ端末１２０に対応するインベントリに移動させ、交換対象商品を他のユーザ端末に対応するインベントリに移動させてもよい。
【００５４】
ここで、商品提供サーバ１１０は、マーケットプラットフォームを通じて交換対象商品を表示するだけでなく、交換対象商品の説明及び販売先に関する内容などを含む各種情報（例えば、広告主のウェブサイト、広告主の電話番号など）を受信し、交換対象商品と共に露出させてもよい。
【００５５】
商品提供サーバ１１０は、商品の寄付情報、マーケットプラットフォームを通じた取り引き情報、及びＳＮＳ共有情報などに基づき、第１のユーザ端末１２１に対応するユーザの選好商品を決定してもよい。このとき、商品提供サーバ１１０は、マーケットプラットフォームに選好商品に対応する交換対象商品が登録された場合、登録された選好商品に対応する交換対象商品に関する情報を第１のユーザ端末１２１へ送信してもよい。さらに他の例において、ユーザ端末１２０が複数の利用方法のうちポイント還付を選択した場合、商品提供サーバ１１０は、ユーザ端末１２０に対応するアカウントに、ポイントを提供してもよい。このとき、ポイントは、商品の利用可能期限の満了時点に近づくほど増加してもよい。
【００５６】
商品提供サーバ１１０は、複数のコミュニティを複数の他のユーザ端末に提供してもよい。
【００５７】
例えば、商品提供サーバ１１０は、少なくとも１つの商品の価格が予め設定された価格以上である場合、少なくとも１つの商品の当選についての通知を含む第１のコミュニティを提供してもよい。このとき、複数の他のユーザ端末は、各通知に対してコメントを入力してもよい。
【００５８】
他の例において、商品提供サーバ１１０は、ユーザ端末１２０及び複数の他のユーザ端末が購入したランダム商品の購入金額に基づくランキングを含む第２のコミュニティを複数の他のユーザ端末に提供してもよい。このとき、商品提供サーバ１１０は、ユーザ端末１２０及び複数の他のユーザ端末のランキングに基づき、ユーザ端末１２０及び複数の他のユーザ端末に追加ポイントを支給してもよい。
【００５９】
さらに他の例において、商品提供サーバ１１０は、複数のユーザ端末１２０からランダム商品として提供される商品の推薦を受けるための第３のコミュニティを複数の他のユーザ端末に提供してもよい。
【００６０】
ユーザ端末１２０は、商品の購入を商品提供サーバ１１０に要請してもよい。ここで、商品は、ランダム商品であってもよい。
【００６１】
ユーザ端末１２０は、商品又はランダム商品の決済を進行してもよい。
【００６２】
ユーザ端末１２０は、商品又はランダム商品の決済が完了すれば、商品提供サーバ１１０によって決定し、ユーザ端末１２０に対応するインベントリに保存されている各商品に対して選択可能な複数の利用方法を選択してもよい。
【００６３】
ユーザ端末１２０は、選択された利用方法を商品提供サーバ１１０へ送信してもよい。
【００６４】
かかるユーザ端末１２０は、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）、３Ｇ、４Ｇ、５Ｇ端末、スマートフォン（ｓｍａｒｔ  ｐｈｏｎｅ）のような無線通信装置１２１及びスマートパッドのようなタブレットＰＣ１２２などを含んでいてもよい。また、ユーザ端末１２０は、デスクトップ（ｄｅｓｋｔｏｐ）、ノートパンコン（ｎｏｔｅｂｏｏｋ）、ネットブック（Ｎｅｔｂｏｏｋ）、ウルトラブック（ＵｌｔｒａＢｏｏｋ）、サブノートパソコン（ＳｕｂＮｏｔｅｂｏｏｋ）、デスクノート（ＤｅｓｋＮｏｔｅ）、ＵＭＰＣ（Ｕｌｔｒａ−Ｍｏｂｉｌｅ  ＰＣ）などのような全種類のＰＣ１２３を含んでいてもよい。
【００６５】
図２は、本発明の一実施例に係る商品提供サーバの構成図である。図２を参照すると、商品提供サーバ１１０は、決済部２１０と、商品決定部２２０と、商品管理部２３０と、商品提供部２４０と、コミュニティ提供部２５０とを含んでいてもよい。
【００６６】
決済部２１０は、ユーザ端末１２０から商品の購入要請を受け、商品の決済を進行してもよい。ここで、商品は、ランダム商品であってもよい。
【００６７】
商品決定部２２０は、ランダム商品の決済が完了すれば、ユーザ端末１２０に提供される少なくとも１つの商品を決定してもよい。このとき、決定した少なくとも１つの商品には利用可能期限が設定されてもよい。例えば、ランダム商品の決済が完了すれば、商品決定部２２０は、ユーザ端末１２０に提供されるように決定した商品の利用可能期限を１５日、３０日などに設定してもよい。
【００６８】
これは、商品の利用可能期限を設定することにより、例えば、商品が品物である場合、ユーザが当該利用可能期限内に当たった品物を配送又は交換するようにし、当該利用可能期限後にはユーザが当選商品をポイントに還付してもらうようにすることで、当選商品の配送又は交換よりはポイントに還付してもらう可能性を高めることができる。
【００６９】
商品管理部２３０は、ユーザ端末１２０が購入した商品又はランダム商品として決定した少なくとも１つの商品をユーザ端末１２０に対応するインベントリに保存してもよい。インベントリは、各商品に対する商品配送のためのインターフェースと、交換のためのインターフェースと、ポイント還付のためのインターフェースとを含んでいてもよい。ここで、ポイント還付のためのインターフェースは、ポイントに関する情報を含み、ポイントは、時間の経過により変動して表示されてもよい。
【００７０】
例えば、ランダム商品の購入を通じて５，０００ウォンに相当する商品が当たった直後、ユーザがポイントに還付してもらいたい場合、当該商品に対するポイントは例えば２，５００ポイントであるが、当該商品の利用可能期限の満了時点に近づくと、当該商品に対するポイントは例えば４，０００ポイントになってもよい。これは、商品の利用可能期限の満了時点に近づくほど、当該商品に対してより高いポイントをユーザに提示することで、ユーザが商品を配送、交換などにより品物で支給してもらうよりは、ポイントに還付してもらうように誘導するためである。
【００７１】
このとき、商品管理部２３０は、インベントリに保存されている商品に対してポイント還付を誘導するメッセージを周期的にユーザ端末１２０へ送信してもよい。
【００７２】
商品管理部２３０は、ユーザ端末１２０からインベントリに保存されている各商品に対して選択可能な複数の利用方法のうち１つを選択してもらってもよい。ここで、利用方法は、少なくとも１つの商品に対する商品配送、他のユーザ端末が保有している商品との交換、及びポイント還付を含んでいてもよい。
【００７３】
商品管理部２３０は、ユーザ端末１２０から各利用方法に対する詳細項目を選択してもらってもよい。例えば、ユーザ端末１２０が複数の利用方法のうち商品配送を選択した場合、ユーザ端末１２０から、ユーザ端末１２０に対応するインベントリに保存されている複数の商品のうち少なくとも１つの商品を選択してもらい、選択された各商品の数量を選択してもらってもよい。
【００７４】
商品提供部２４０は、ユーザ端末１２０において商品又はランダム商品の決済が完了すれば、ユーザ端末１２０に提供される少なくとも１つの商品を決定した後、ユーザ端末１２０に、決定した少なくとも１つの商品に対するポイント還付情報を提供してもよい。ここで、ポイント還付情報は、少なくとも１つの商品に対応して還付されるポイントに関する情報を含んでいてもよい。
【００７５】
商品提供部２４０は、ユーザ端末１２０により選択された利用方法に基づいて各商品を提供してもよい。商品提供部２４０は、配送要請部２４１と、商品交換部２４２と、ポイント管理部２４３とを含んでいてもよい。
【００７６】
配送要請部２４１は、ユーザ端末１２０が複数の利用方法のうち商品配送を選択した場合、選択された商品の配送が要請されてもよい。
【００７７】
ここで、配送要請部２４１は、複数の商品に対しておまとめ配送機能を提供してもよい。例えば、インベントリに保存されている複数の商品の中から選択された少なくとも１つの商品及び各商品の数量に対して体積、重さ、硬度、価格のうち少なくとも１つに基づいておまとめ配送ゲージ測定し、おまとめ配送ゲージに基づいて選択された少なくとも１つの商品に対しておまとめ配送を要請してもよい。
【００７８】
例えば、配送要請部２４１は、商品が予め設定された価格（例えば、５万ウォン）以下である場合、体積及び重さを考慮しておまとめ配送ゲージ測定してもよい。それに対し、商品が予め設定された価格以上である場合、硬度及び価格を考慮しておまとめ配送ゲージを測定してもよい。これにより、高価な商品が破損されることを防止することができる。
【００７９】
ここで、おまとめ配送ゲージは、バー（Ｂａｒ）形態のゲージで表示され、ゲージは、ユーザ端末１２０により選択された少なくとも１つの商品及び各商品の数量の組み合わせに基づいてリアルタイムで変動してもよい。
【００８０】
おまとめ配送ゲージは、商品提供サービスの管理者によっておまとめ配送ゲージの最大量（例えば、１００）が設定されてもよい。ここで、商品別に配送ゲージに対する消耗量が設定されてもよい。例えば、Ａ製品の場合、配送ゲージの消耗量は３０に設定され、Ｂ製品の場合、配送ゲージの消耗量が２０に設定されてもよい。
【００８１】
このとき、ユーザ端末１２０によりＡ製品とＢ製品をあわせて配送する場合、おまとめ配送ゲージを通じておまとめ配送の消耗量が表示されてもよい。例えば、Ａ製品２個、Ｂ製品２個が組み合わせられた場合、おまとめ配送ゲージの消耗量は１００となり、おまとめ配送が可能である。他の例において、ユーザ端末１２０によってＡ製品１個、Ｂ製品３個が組み合わせられた場合、おまとめ配送ゲージの消耗量は９０となり、おまとめ配送が可能となる。
【００８２】
他の例において、ユーザ端末１２０が、複数の利用方法のうち他のユーザ端末が保有している商品との交換を選択した場合、ユーザ端末１２０からインベントリに保存されている商品のマーケットプラットフォームへの登録要請を受信し、当該商品をマーケットプラットフォームに交換対象商品として登録してもよい。
【００８３】
商品交換部２４２は、他のユーザ端末から他のユーザ端末が保有している交換要請商品に関する情報、及び、交換対象商品と交換要請商品との交換申請を受信すると、交換要請商品に関する情報及び交換申請に関する情報をユーザ端末１２０へ送信し、ユーザ端末１２０により交換申請が受諾された場合、交換要請商品をユーザ端末１２０に対応するインベントリに移動させ、交換対象商品を他のユーザ端末に対応するインベントリに移動させてもよい。
【００８４】
このとき、商品交換部２４２は、交換対象商品の価格と似たような価格帯の交換要請商品に対してのみ交換申請を受信してもよい。これは、価格帯の合わない商品に対する他のユーザ端末からの無分別な交換申請を防止することにより、ユーザ間で合理的な商品交換が行われることができる。そのために、商品交換部２４２は、ユーザが保有している商品と交換可能な商品（例えば、似たような価格帯の商品）をフィルタリングしてユーザ端末１２０に提供してもよい。このようなフィルタリング機能を通じて交換が不可能な商品を排除することにより、交換対象商品と交換要請商品との間の交換が容易に行われることができる。
【００８５】
あるいは、商品交換部２４２は、上述した交換対象商品の価格と交換要請商品との間の価格帯が合わない場合、交換対象商品に対する交換要請商品の個数を調整することで交換が行われるようにしてもよい。例えば、商品交換部２４２は、ユーザ端末１２０が「Ａ」（１個当り５，０００ウォン／１個保有）という交換対象商品をマーケットプラットフォームに登録した場合、他のユーザ端末が保有している「Ｂ」（１個当り２，５００ウォン／４個保有）という交換要請商品の個数を「２」個に調整することで、「Ａ」と「Ｂ」商品間の交換が行われるようにしてもよい。
【００８６】
ポイント管理部２４３は、ユーザ端末１２０が複数の利用方法のうちポイント還付を選択した場合、ポイントに関する情報を提供してもよい。このとき、ポイントは、利用可能期限の満了時点に近づくほど増加してもよい。
【００８７】
コミュニティ提供部２５０は、複数のコミュニティを複数の他のユーザ端末に提供してもよい。
【００８８】
例えば、コミュニティ提供部２５０は、少なくとも１つの商品の価格が予め設定された価格以上である場合、少なくとも１つの商品の当選についての通知を含む第１のコミュニティを複数の他のユーザ端末に提供してもよい。
【００８９】
一般に、商品提供サービスを通じて誰かに高価の商品が当たった場合、他のユーザは、それを広告効果のために作り上げたことと見なし、高価な商品の当選事実を信じない傾向がある。それを防止するために、コミュニティ提供部２５０は、第１のコミュニティを通じて「Ａ」というユーザが高価の商品に当たったと通知することにより、本発明が提案する商品提供サービスへの信頼度を高めることができる。また、ユーザが高価な商品に当たるかもしれないという事実を認知することにより、積極的にランダム商品を購入するよう誘導することができる。
【００９０】
このとき、通知に対して複数の他のユーザ端末からコメントの入力が可能であってもよい。
【００９１】
ここで、他のユーザ端末は、コメントを通じて商品交換を提案してもよい。例えば、商品交換部２４２は、他のユーザ端末が入力したコメントを分析し、コメントから他のユーザ端末が保有している商品の情報を抽出して、それをユーザ端末１２０に提供してもよい。
【００９２】
また、商品交換部２４２は、他のユーザ端末が入力したコメントを分析し、コメントから他のユーザ端末がマーケットプラットフォームに登録した交換要請商品の情報を抽出して、それをユーザ端末１２０に提供してもよい。
【００９３】
他の例において、コミュニティ提供部２５０は、ユーザ端末１２０及び複数の他のユーザ端末が購入したランダム商品の購入金額に基づくランキングを含む第２のコミュニティを複数の他のユーザ端末に提供してもよい。このとき、コミュニティ提供部２５０は、ユーザ端末１２０及び複数の他のユーザ端末のランキングに基づき、ユーザ端末１２０及び複数の他のユーザ端末に追加ポイントを支給してもよい。
【００９４】
さらに他の例において、コミュニティ提供部２５０は、複数のユーザ端末１２０からランダム商品として提供される商品の推薦を受けるための第３のコミュニティを複数の他のユーザ端末に提供してもよい。コミュニティ提供部２５０は、第３のコミュニティを通じてユーザにより入力されたランダム商品として提供される商品に対する「いいね」などを集計し、ユーザの選好度を反映した商品をランダム商品として提供してもよい。
【００９５】
図３は、本発明の一実施例に係る商品提供サーバにおいてユーザ端末からランダム商品の購入要請を受ける過程を説明するための例示的な図である。図３を参照すると、ユーザ端末１２０は、商品提供サービスを提供するアプリケーションを通じてランダム商品を購入してもよい。
【００９６】
ユーザ端末１２０は、アプリケーションを通じてランダム商品として提供される可能性のある複数の商品３１０を画面３００に表示してもよい。
【００９７】
ユーザ端末１２０は、当該画面３００の下段に位置した「ランダムボックスを購入」タブ３２０を選択することで、商品提供サーバ１１０にランダム商品の購入を要請してもよい。
【００９８】
図４は、本発明の一実施例に係る商品提供サーバにおいてユーザ端末に対応するインベントリにランダム商品を保存する過程を説明するための例示的な図である。図４を参照すると、商品提供サーバ１１０は、ランダム商品の決済が完了すれば、ユーザ端末１２０に提供される商品を決定し、ユーザ端末１２０に対応するインベントリに保存してもよい。
【００９９】
ユーザ端末１２０は、商品提供サービスを提供するアプリケーションの「マイページ」画面４００でユーザアカウントに対応するインベントリとして提供される「商品保管箱」４１０を通じて、ランダム商品に対応する商品を確認してもよい。このとき、ランダム商品として提供された商品には利用可能期限が設定されてもよい。
【０１００】
例えば、ユーザ端末１２０には、商品提供サーバ１１０からランダム商品として「モバイル商品券５，０００ウォン」４２０が提供されてもよく、「モバイル商品券５，０００ウォン」４２０は、利用可能期限が「１５日」に設定されてもよい。
【０１０１】
他の例において、ユーザ端末１２０には、商品提供サーバ１１０からランダム商品として「ホワイトニング歯磨き粉」４３０が提供されてもよく、「ホワイトニング歯磨き粉」４３０は、利用可能期限が「１６日」に設定されてもよい。
【０１０２】
ユーザ端末１２０は、「商品保管箱」４１０に保存されている各ランダム商品に対して複数の利用方法のうち何れか１つを選択してもよい。複数の利用方法は、例えば、他のユーザ端末が保有している商品との交換４４１、ランダム商品に対する配送４４２、ポイント還付４４３を含んでいてもよい。このとき、ポイント還付４４３は、利用可能期限の満了時点に近づくほど還付金額が増加してもよい。例えば、利用可能期限の満了時点が１５日、１６日残っている場合、ポイント還付金額は２５００ポイントであるが、利用可能期限の満了時点が０日である場合、ポイント還付金額は４０００ポイントに増加してもよい。
【０１０３】
図５は、本発明の一実施例に係る商品提供サーバにおいてユーザ端末のインベントリに保存されている商品を他のユーザ端末が保有している商品と交換する過程を説明するための例示的な図である。図５を参照すると、ユーザ端末１２０は、インベントリに保存されているランダム商品をマーケットプラットフォームに登録して、他のユーザ端末が保有している商品と交換してもよい。
【０１０４】
マーケットプラットフォーム画面５００は、画面の上段にマーケットプラットフォームに登録されている商品件数、トレード要請件数、トレードが達成された件数５１０などを表示し、画面の下段にマーケットプラットフォームに登録されている商品５２０を表示してもよい。
【０１０５】
例えば、ユーザ端末１２０は、インベントリに保存されている商品を他のユーザ端末が保有している商品と交換することを希望する場合、他のユーザ端末が登録した商品に対して「トレードを申請」ボタン５２１を選択することで、他のユーザ端末に商品交換を要請してもよい。他のユーザ端末は、当該商品交換に対して受諾、拒絶、交渉を選択することで、商品交換に対する取り引きが進行されてもよい。
【０１０６】
図６ａ乃至図６ｃは、本発明の一実施例に係る商品提供サーバにおいてユーザ端末のインベントリに保存されている商品をおまとめ配送する過程を説明するための例示的な図である。
【０１０７】
図６ａは、本発明の一実施例に係る商品配送申請画面を示す例示的な図である。図６ａを参照すると、ユーザ端末１２０は、インベントリに保存されている商品に対して複数の利用方法のうち商品配送を選択することにより、商品提供サーバ１１０に商品配送を要請してもよい。
【０１０８】
商品配送申請画面６００は、ユーザ端末１２０が配送を要請した商品６１０を表示し、配送先情報を表示してもよい。ユーザ端末１２０は、「申請する」ボタン６１２を通じて当該商品の配送を申請してもよい。
【０１０９】
このとき、ユーザ端末１２０がインベントリに保存されている他の商品とのおまとめ配送を希望する場合、「配送商品追加」ボタン６１１を選択することで他の商品とのおまとめ配送を商品提供サーバ１１０に要請してもよい。
【０１１０】
図６ｂは、本発明の一実施例に係るおまとめ配送申請画面を示す例示的な図である。図６ｂを参照すると、ユーザ端末１２０は、インベントリに保存されている他の商品を選択して商品提供サーバ１１０におまとめ配送を要請してもよい。
【０１１１】
おまとめ配送申請画面６２０は、インベントリに保存されている複数の他の商品の情報を表示し、当該商品の個数を共に表示してもよい。このとき、ユーザが選択した商品の個数に基づき、バー形態のおまとめ配送ゲージ６３０を通じて、おまとめ配送の可否が表示されてもよい。おまとめ配送ゲージ６３０は、選択された商品及び当該商品の数量の組み合わせに対して体積、重さ、硬度、価格に基づいて表示されるものであってもよい。
【０１１２】
例えば、ユーザがインベントリに保存されている他の商品から「キャビア長財布」１個６２１と「マスクパック」１３個６２２をおまとめ配送に選択した場合、おまとめ配送ゲージ６３０は、当該商品及び各商品の数量の組み合わせが４／２０に対応することをバー形態にて表示してもよい。
【０１１３】
図６ｃは、本発明の一実施例に係るおまとめ配送ゲージが最大個数に到逹した画面を示す例示的な図である。図６ｂ及び図６ｃを参照すると、ユーザがインベントリに保存されている他の商品及び当該商品の数量を選択することで、当該組み合わせのおまとめ配送ゲージ６３０が最大個数に到逹すれば、ユーザ端末１２０は、「箱が一杯詰まっています。１箱当たり最大２０個の商品までおまとめ配送が可能です。」６４０のような通知メッセージを表示してもよい。
【０１１４】
ユーザ端末１２０は、当該通知メッセージが表示されれば、「商品追加」ボタン６５０を通じて選択された組み合わせのおまとめ配送を商品提供サーバ１１０に要請してもよい。このとき、ユーザは、インベントリに保存されている商品及び当該商品の数量の組み合わせを変更して商品を追加してもよい。
【０１１５】
図７ａ及び図７ｂは、本発明の一実施例に係る商品提供サーバにおいて第１のコミュニティを通じて予め設定された価格以上の商品の当選についての通知を提供する過程を説明するための例示的な図である。
【０１１６】
図７ａは、本発明の一実施例に係る第１のコミュニティのメイン画面を示す例示的な図である。図７ａを参照すると、ユーザ端末１２０は、ランダム商品を提供するアプリケーションのコミュニティ画面７００を通じて第１のコミュニティ７１０に対応する「ニュースルーム」タブにアクセスしてもよい。
【０１１７】
第１のコミュニティ７１０は、ランダム商品の商品価格が予め設定された価格以上である場合、商品の当選についての通知画面を表示してもよい。例えば、第１のコミュニティ７１０は、「キム・ミンチョル」というユーザがランダム商品を通じてスチームアイロンに当たった場合、当選通知画面７２０を通じてそれを知らせてもよい。
【０１１８】
図７ｂは、本発明の一実施例に係る商品当選通知に対するコメントを示す例示的な図である。図７ｂを参照すると、複数の他のユーザは、商品通知画面の下段に位置したコメント入力窓７３０を通じてお祝いメッセージなどのコメント７４０を入力してもよい。
【０１１９】
図８ａ乃至図８ｄは、本発明の一実施例に係る商品提供サーバにおいて第２のコミュニティを通じてランダム商品の購入金額に基づくランキングを提供する過程を説明するための例示的な図である。
【０１２０】
図８ａは、本発明の一実施例に係る第２のコミュニティのメイン画面を示す例示的な図である。図８ａを参照すると、ユーザ端末１２０は、ランダム商品を提供するアプリケーションのコミュニティ画面８００を通じて第２のコミュニティ８１０に対応する「ウィークリーランキング戦」タブにアクセスしてもよい。
【０１２１】
第２のコミュニティ８１０は、ユーザ端末１２０及び複数の他のユーザ端末が購入したランダム商品の購入金額に基づくランキング画面を表示してもよい。
【０１２２】
図８ｂは、本発明の一実施例に係るランキング画面を示す例示的な図である。図８ｂを参照すると、ランキング画面８２０は、ランキング順位８２１、当該ランキング順位に対応するニックネーム８２２、及び当該ニックネーム８２２のユーザが購入したランダム商品購入金額８２３を表示してもよい。
【０１２３】
図８ｃは、本発明の一実施例に係るランキングと係わる情報を示す例示的な図である。図８ｃを参照すると、ランキング画面の下段にランキング戦の前日の結果８３０及びランキング戦のルール８３１の情報を表示することで、ランキングと係わる情報を提供してもよい。
【０１２４】
図８ｄは、本発明の一実施例に係るランキング戦のルール情報を示す例示的な図である。図８ｄを参照すると、ランキング戦のルール情報は、ランキングによる追加ポイントの支給を知らせる内容８４０を含んでいてもよい。例えば、商品提供サーバ１１０は、１位には２０，０００ポイント、２位には１０，０００ポイント、３位には５，０００ポイント、４〜１０位には２，０００ポイントを追加支給してもよい。
【０１２５】
図９ａ及び図９ｂは、本発明の一実施例に係る商品提供サーバにおいて第３のコミュニティを通じてランダム商品として提供される商品を推薦してもらう過程を説明するための例示的な図である。
【０１２６】
図９ａは、本発明の一実施例に係る第３のコミュニティのメイン画面を示す例示的な図である。図９ａを参照すると、ユーザ端末１２０は、ランダム商品を提供するアプリケーションのコミュニティ画面９００を通じて第３のコミュニティ９１０に対応する「商品要請」タブにアクセスしてもよい。
【０１２７】
第３のコミュニティ９１０は、ランダム商品として提供される商品９２０を表示し、複数のユーザ端末１２０から当該商品に対する推薦を受けてもよい。
【０１２８】
図９ｂは、本発明の一実施例に係る商品推薦ボタンを示す例示的な図である。図９ｂを参照すると、ユーザ端末１２０は、当該商品がランダム商品として提供されることを希望する場合、当該商品に対する「商品推薦」タブ９３０を選択することで当該商品を推薦してもよい。
【０１２９】
図１０は、本発明の一実施例に係る商品提供サーバにおいて商品提供サービスを行う方法のフローチャートである。図１０に示す実施例に係る商品提供サーバ１１０において商品提供サービスを提供する方法は、図１に示された実施例に係る商品提供システム１において時系列的に処理されるステップを含む。従って、以下、省略された内容であるとしても、図１乃至図９ｂに示された実施例に係る商品提供サーバ１１０により行われる商品提供サービスを提供する方法にも適用される。
【０１３０】
ステップＳ１０１０において、商品提供サーバ１１０は、ユーザ端末１２０から商品の購入要請を受けてもよい。
【０１３１】
ステップＳ１０２０において、商品提供サーバ１１０は、商品の決済を進行してもよい。
【０１３２】
ステップＳ１０３０において、商品提供サーバ１１０は、商品をユーザ端末１２０に対応するインベントリに保存してもよい。
【０１３３】
ステップＳ１０４０において、商品提供サーバ１１０は、ユーザ端末１２０からインベントリに保存されている各商品に対して選択可能な複数の利用方法を選択してもらってもよい。
【０１３４】
ステップＳ１０５０において、商品提供サーバ１１０は、ユーザ端末１２０により選択された利用方法に基づいて各商品を提供してもよい。
【０１３５】
上述した説明において、ステップＳ１０１０乃至Ｓ１０５０は、本発明の具現例により、追加のステップにさらに分割されるか、より少ないステップに組み合わせられてもよい。また、一部のステップは必要に応じて省略されてもよく、ステップ間の順番が変更されてもよい。
【０１３６】
図１１は、本発明の一実施例に係るユーザ端末において商品提供サービスを提供してもらう方法のフローチャートである。図１１に示す実施例に係るユーザ端末１２０により行われる商品提供サービスを提供してもらう方法は、図１に示された実施例に係る商品提供システム１において時系列的に処理されるステップを含む。従って、以下、省略された内容であるとしても、図１乃至図１０に示された実施例に係るユーザ端末１２０により行われる商品提供サービスを提供してもらう方法にも適用される。
【０１３７】
ステップＳ１１１０において、ユーザ端末１２０は、商品の購入を商品提供サーバ１１０に要請してもよい。
【０１３８】
ステップＳ１１２０において、ユーザ端末１２０は、商品の決済を進行してもよい。
【０１３９】
ステップＳ１１３０において、ユーザ端末１２０は、商品の決済が完了すれば、ユーザ端末１２０に対応するインベントリに保存されている各商品に対して選択可能な複数の利用方法を選択してもよい。
【０１４０】
ステップＳ１１４０において、ユーザ端末１２０は、選択された利用方法を商品提供サーバ１１０へ送信してもよい。
【０１４１】
上述した説明において、ステップＳ１１１０乃至Ｓ１１４０は、本発明の具現例により、追加のステップにさらに分割されるか、より少ないステップに組み合わせられてもよい。また、一部のステップは必要に応じて省略されてもよく、ステップ間の順番が変更されてもよい。
【０１４２】
図１乃至図１１を通じて説明された商品提供サーバにおいて商品提供サービスを提供する方法、及びユーザ端末においてゲームを通じて商品を提供してもらう方法は、コンピュータにより実行される媒体に格納されたコンピュータプログラム又はコンピュータにより実行可能な命令語を含む記録媒体の形態に具現されてもよい。また、図１乃至図１１を通じて説明された商品提供サーバにおいて商品提供サービスを提供する方法、及びユーザ端末においてゲームを通じて商品を提供してもらう方法は、コンピュータにより実行される媒体に格納されたコンピュータプログラムの形態に具現されてもよい。コンピュータ読み取り可能な媒体は、コンピュータによりアクセスできる任意の可用媒体であってもよく、揮発性及び非揮発性の媒体、分離型及び非分離型の媒体を全て含む。また、コンピュータ読み取り可能な媒体は、コンピュータ格納媒体及び通信媒体を全て含んでいてもよい。コンピュータ格納媒体は、コンピュータ読み取り可能な命令語、データ構造、プログラムモジュール、又はその他のデータのような情報格納のための任意の方法又は技術に具現された揮発性及び非揮発性、分離型及び非分離型の媒体を全て含む。通信媒体は、典型的にコンピュータ読み取り可能な命令語、データ構造、プログラムモジュール、又は搬送波のような変調されたデータ信号のその他のデータ、あるいはその他の伝送メカニズムを含み、任意の情報伝達媒体を含む。
【０１４３】
上述した本発明の説明は例示のためのものであり、本発明の属する技術分野において通常の知識を有する者であれば、本発明の技術的思想や必須の特徴を変更せずに他の具体的な形態に容易に変形可能であるということを理解できるはずである。それゆえ、上記した実施例は全ての面において例示的なものであり、限定的なものではないと理解すべきである。例えば、単一型で説明されている各構成要素は分散して実施されてもよく、同様に、分散したものと説明されている構成要素も結合された形態で実施されてもよい。
【０１４４】
本発明の範囲は、上記詳細な説明よりは後述する特許請求の範囲によって示され、特許請求の範囲の意味及び範囲、並びにその均等概念から導出される全ての変更又は変形された形態が本発明の範囲に含まれると解釈されなければならない。
【図１】
2021532522.tif 000003
【図２】
2021532522.tif 000004
【図３】
2021532522.tif 000005
【図４】
2021532522.tif 000006
【図５】
2021532522.tif 000007
【図６ａ】
2021532522.tif 000008
【図６ｂ】
2021532522.tif 000009
【図６ｃ】
2021532522.tif 000010
【図７ａ】
2021532522.tif 000011
【図７ｂ】
2021532522.tif 000012
【図８ａ】
2021532522.tif 000013
【図８ｂ】
2021532522.tif 000014
【図８ｃ】
2021532522.tif 000015
【図８ｄ】
2021532522.tif 000016
【図９ａ】
2021532522.tif 000017
【図９ｂ】
2021532522.tif 000018
【図１０】
2021532522.tif 000019
【図１１】
2021532522.tif 000020
【国際調査報告】
2021532522.tif 000021
2021532522.tif 000022
2021532522.tif 000023
2021532522.tif 000024